(57)【要約】      （修正有）【課題】煩雑な組み付けをなくし、簡単な部品構成で、熱に影響されず、耐久性があり、蓋の開閉が簡単で軽快にスムーズにできる、圧力鍋の蓋開閉機構を提供する。【解決手段】鍋本体２に設けた本体取っ手と、蓋に設けた蓋取っ手と、蓋取っ手に設けたスライダー３０と、蓋の内周面に嵌装した蓋パッキンとを備え、スライダー３０を前進することにより蓋を鍋本体２にロックすると共に、同スライダー３０を後退することにより蓋を鍋本体２よりロック解除できるように設けた圧力鍋の蓋開閉機構である。鍋本体２の開口縁部の一部に係合部２ｃを形成し、スライダー３０の下部には、スライダー３０の前後運動に従動するロック開閉機構４０を設け、このロック開閉機構４０は、スライダー３０を前方へ移動させることにより、鍋本体２の係合部２ｃに係合されて蓋が鍋本体２にロック状態となるロック部５０と、スライダー３０を後方へ移動させることにより、ロック部５０は鍋本体２の係合部２ｃとの係合が解除される。【選択図】図６Ａ
0003195387.tif 000002
【実用新案登録請求の範囲】
【請求項１】
鍋本体の外周壁に設けた本体取っ手と、鍋本体の上部開口を被蓋する蓋の外周に設けた蓋取っ手と、前記蓋取っ手に、鍋本体の中央部に向かって前後動するように設けたスライダーと、前記蓋の内周面に嵌装した蓋パッキンとを備え、
前記蓋を周方向に回動して本体取っ手と蓋取っ手とを重合し、前記スライダーを前進することにより蓋を鍋本体にロックするとともに、同スライダーを後退することにより蓋を鍋本体よりロック解除できるように設けた圧力鍋の蓋開閉機構であって、
前記鍋本体の開口縁部に形成したフランジ部の一部に係合部を形成する一方、
前記スライダーの下部には、該スライダーの前後運動に従動するロック開閉機構を設け、
このロック開閉機構は、前記スライダーを前方へ移動させることにより、鍋本体のフランジ部の係合部に係合されて蓋が鍋本体にロック状態となるロック部と、
前記スライダーを後方へ移動させることにより、前記ロック部は鍋本体のフランジ部の係合部との係合が解除されるとともに、そのロック解除部が前方へ移動して蓋の蓋パッキンを鍋本体中心部方向へ押動し、鍋本体内圧力を逃がし、蓋を鍋本体からロック解除状態となるロック解除部とからなることを特徴とする圧力鍋の蓋開閉機構。
【請求項２】
前記ロック開閉機構としては、ロック部は強固な金属製で水平部と係合片を有する垂直部とを一体に形成し、ロック解除部は強固な金属製で水平部とパッキン押部を有する垂直部とを一体に形成してあり、
このロック部とロック解除部とは、水平部において、ロック部には長穴をロック解除部には丸穴を穿設されており、これらの長穴と丸穴とに連結ピンを嵌挿して、ロック部とロック解除部とを連結してあるとともに、前記連結ピンの他端はスライダーの下部に固定してあり、
また、前記ロック部の水平部とロック解除部の水平部の端部において、両水平部を枢軸で回動自在に枢着したリンク機構を構成し、
さらに、前記ロック部の水平部の後端部は前記スライダーに嵌着されていることを特徴とする請求項１に記載の圧力鍋の蓋開閉機構。
【考案の詳細な説明】
【技術分野】
【０００１】
本考案は、圧力鍋の鍋本体の開口部を被蓋する蓋を周方向に回動して、該蓋を鍋本体に気密にロックしたり残圧がある場合に圧力を逃がした上で、蓋を開くことが可能な圧力鍋の蓋開閉機構に関するものである。
【背景技術】
【０００２】
従来、この種の圧力鍋の蓋開閉機構としては、種々のものが提案されている。例えば、本願出願人の出願に係る実用新案登録第３１５４４８６号の登録実用新案公報（特許文献１）に記載されたものが知られている。
【０００３】
この特許文献１に記載された圧力鍋の蓋開閉機構は、鍋本体の外周壁に設けられ上面にガイド溝を有する本体取っ手と、鍋本体の上部開口を被蓋する蓋の外周に設けた蓋取っ手と、前記蓋取っ手に、鍋本体の中央部に向かって前後動するように設けたスライダーと、該スライダーの下端部に垂設されて前記本体取っ手のガイド溝に案内される脚部（スライドピンとも称し得る。）と、前記蓋の底面側に嵌装した蓋パッキンとを備え、前記蓋を周方向に回動して本体取っ手と蓋取っ手とを重合し、前記スライダーを前進することにより蓋を鍋本体にロックするとともに、同スライダーを後退することにより蓋を鍋本体よりロック解除できるように設けたものである。
【先行技術文献】
【特許文献】
【０００４】
【特許文献１】実用新案登録第３１５４４８６号の登録実用新案公報
【考案の概要】
【考案が解決しようとする課題】
【０００５】
しかしながら、前記特許文献１の圧力鍋の蓋開閉機構では、蓋のロック及びロック解除に必要な構成部材として、大小２個のスライダー、スライドピンとしてのスライダー下端部に形成した脚部等の多数の構成部材を必要とする難点があった。
【０００６】
また、鍋本体の本体取っ手の上面には、前述したように、スライダーの下端部の脚部（他の公知技術文献ではスライドピンとも称されている。）が案内される工夫されたガイド溝の形成を必須とする。そのため、前記スライダーの脚部（スライドピン）の形状や、前記ガイド溝の形状や形成位置など、両者の相関関係を考慮しなければならず、時として、スライダーの動作不良により蓋の開閉が固くなる等、面倒な構成となる問題があった。
【０００７】
本考案は、上記従来例の有する問題点を解消するために案出されたものであり、従来例のように、蓋のロック及びロック解除に必要な構成として、大小２個のスライダー、スライダー下端部に形成した脚部（スライドピン）、小スライダーを付勢するバネ等の多数の構成部材を不要とするとともに、煩雑な組み付けをなくして、簡単な部品構成で、熱に影響されることなく、耐久性のある、圧力鍋の蓋開閉機構を提供することを第１の目的とする。
【０００８】
また、従来例のように、鍋本体の本体取っ手の上面には、スライダーの下端部の脚部（スライドピン）が案内されるガイド溝を形成する必要がなく、そのガイド溝の形状や形成位置等の面倒な構成を不要とするばかりか、蓋の開閉が簡単で軽快にスムーズにできる、圧力鍋の蓋開閉機構を提供することを第２（本質的）の目的とする。
【課題を解決するための手段】
【０００９】
上記目的を達成するため、本考案の請求項１の圧力鍋の蓋開閉機構は、鍋本体の外周壁に設けた本体取っ手と、鍋本体の上部開口を被蓋する蓋の外周に設けた蓋取っ手と、前記蓋取っ手に、鍋本体の中央部に向かって前後動するように設けたスライダーと、前記蓋の内周面に嵌装した蓋パッキンとを備え、前記蓋を周方向に回動して本体取っ手と蓋取っ手とを重合し、前記スライダーを前進することにより蓋を鍋本体にロックするとともに、同スライダーを後退することにより蓋を鍋本体よりロック解除できるように設けた圧力鍋の蓋開閉機構であって、
前記鍋本体の開口縁部に形成したフランジ部の一部に係合部を形成する一方、
前記スライダーの下部には、該スライダーの前後運動に従動するロック開閉機構を設け、
このロック開閉機構は、前記スライダーを前方へ移動させることにより、鍋本体のフランジ部の係合部に係合されて蓋が鍋本体にロック状態となるロック部と、
前記スライダーを後方へ移動させることにより、前記ロック部は鍋本体のフランジ部の係合部との係合が解除されるとともに、そのロック解除部が前方へ移動して蓋の蓋パッキンを鍋本体中心部方向へ押動し、鍋本体内圧力を逃がし、蓋を鍋本体からロック解除状態となるロック解除部とからなることを特徴とする。
【００１０】
ここで、ロック開閉機構は、前記作動をするロック部とロック解除部とを有するものであれば、その具体的構成は適宜設計変更できる。
【００１１】
請求項２の圧力鍋の蓋開閉機構は、前記ロック開閉機構の具体的な構成の一例を示したものである。
すなわち、前記ロック開閉機構としては、ロック部は強固な金属製で水平部と係合片を有する垂直部とを一体に形成し、ロック解除部は強固な金属製で水平部とパッキン押部を有する垂直部とを一体に形成してあり、
このロック部とロック解除部とは、水平部において、ロック部には長穴をロック解除部には丸穴を穿設されており、これらの長穴と丸穴とに連結ピンを嵌挿して、ロック部とロック解除部とを連結してあるとともに、前記連結ピンの他端はスライダーの下部に固定してあり、
また、前記ロック部の水平部とロック解除部の水平部の端部において、両水平部を枢軸で回動自在に枢着したリンク機構を構成し、
さらに、前記ロック部の水平部の後端部は前記スライダーに嵌着されていることを特徴とする。
【考案の効果】
【００１２】
請求項１の圧力鍋の蓋開閉機構によれば、従来例のように、蓋のロック及びロック解除に必要な構成として、大小２個のスライダー、スライダー下端部に形成した脚部（スライドピン）、小スライダーを付勢するバネ等の多数の構成部材を不要とするとともに、煩雑な組み付けをなくして、簡単な部品構成で、熱に影響されることなく、耐久性のある、圧力鍋の蓋開閉機構を提供することができる。
【００１３】
また、従来例のように、鍋本体の本体取っ手の上面には、スライダーの下端部の脚部（スライドピン）が案内されるガイド溝を形成する必要がなく、そのガイド溝の形状や形成位置等の面倒な構成を不要とするばかりか、蓋の開閉が簡単で軽快にスムーズにできる、圧力鍋の蓋開閉機構を提供することができる。
【００１４】
請求項２の圧力鍋の蓋開閉機構によれば、前記請求項１の効果を奏するだけでなく、ロック開閉機構が簡単で堅固なものが提供できる。
【図面の簡単な説明】
【００１５】
【図１】本考案に係る圧力鍋の蓋開閉機構を採用した圧力鍋の全体の斜視図である。
【図２】本考案に係る圧力鍋の蓋開閉機構の本体取っ手と蓋取っ手とを重合してロック状態とした時の一部斜視図である。
【図３】図２の状態において蓋に嵌装した蓋パッキンと蓋取っ手との関係を示した概略斜視図である。
【図４】図３の平面図である。
【図５Ａ】ロック状態時のスライダーとロック開閉機構と蓋パッキンとの関係を示した部分斜視図である。
【図５Ｂ】図５Ａの平面図である。
【図６Ａ】図５Ａから蓋パッキンを除去して、ロック開閉機構のロック部の係合片が鍋本体の係合部に係合されたロック状態を示した部分斜視図である。
【図６Ｂ】図６Ａの平面図である。
【図７】スライダーを後退してロック解除状態とした時の蓋パッキンと蓋取っ手との関係を示した概略斜視図である。
【図８】図７の平面図である。
【図９Ａ】ロック解除状態時のスライダーとロック開閉機構と蓋パッキンとの関係を示した部分斜視図である。
【図９Ｂ】図９Ａの平面図である。
【図１０Ａ】図９Ａから蓋パッキンを除去して、ロック開閉機構のロック部の係合片が鍋本体の係合部と係合解除される共に、ロック解除部のパッキン押部が前進してロック解除状態を示した部分斜視図である。
【図１０Ｂ】図１０Ａの平面図である。
【図１１】ロック解除状態時の鍋本体と蓋取っ手との関係を示した平面図である。
【図１２】スライダーを後退しロック解除して、反時計方向に回転して蓋が開けられる状態を示した平面図である。
【図１３】図１２におけるスライダーとロック開閉機構との移動状態を示した平面図である。
【考案を実施するための形態】
【００１６】
本考案を実施するための基本的な形態は、請求項１に記載しているが、これを添付図面に添って以下に説明する。
すなわち、本考案の圧力鍋の蓋開閉機構は、鍋本体２の外周壁に設けた本体取っ手１０と、鍋本体２の上部開口２ａを被蓋する蓋３の外周に設けた蓋取っ手２０と、前記蓋取っ手２０に、鍋本体２の中央部に向かって前後動するように設けたスライダー３０と、前記蓋３の内周面に嵌装した蓋パッキン３ｂとを備え、
前記蓋３を周方向に回動して本体取っ手１０と蓋取っ手２０とを重合し、前記スライダー３０を前進することにより蓋３を鍋本体２にロックするとともに、同スライダー３０を後退することにより蓋３を鍋本体２よりロック解除できるように設けた圧力鍋の蓋開閉機構であって、
前記鍋本体２の開口縁部に形成したフランジ部２ｂの一部に係合部２ｃを形成する一方、
前記スライダー３０の下部には、該スライダー３０の前後運動に従動するロック開閉機構４０を設け、
このロック開閉機構４０は、前記スライダー３０を前方へ移動させることにより、鍋本体２のフランジ部２ｂの係合部２ｃに係合されて蓋３が鍋本体２にロック状態となるロック部５０と、
前記スライダー３０を後方へ移動させることにより、前記ロック部５０は鍋本体２のフランジ部２ｂの係合部２ｃとの係合が解除されるとともに、そのロック解除部６０が前方へ移動して蓋３の蓋パッキン３ｂを鍋本体中心部方向へ押動し、鍋本体内圧力を逃がし、蓋３を鍋本体２からロック解除状態となるロック解除部６０とからなることを特徴とする。
【００１７】
本考案の具体的な構成は、以下の実施例1に述べる通りである。
【実施例１】
【００１８】
本考案の実施例１を図１〜図１３に基づいて以下に説明する。
図１は本考案に係る圧力鍋の蓋開閉機構を採用した圧力鍋の全体の斜視図である。
図５Ａはロック状態時のスライダーとロック開閉機構と蓋パッキンとの関係を示した部分斜視図、図５Ｂは図５Ａの平面図である。図６Ａは図５Ａから蓋パッキンを除去して、ロック開閉機構のロック部の係合片が鍋本体の係合部に係合されたロック状態を示した部分斜視図、図６Ｂは図６Ａの平面図である。図９Ａはロック解除状態時のスライダーとロック開閉機構と蓋パッキンとの関係を示した部分斜視図、図９Ｂは図９Ａの平面図である。図１０Ａは図９Ａから蓋パッキンを除去して、ロック開閉機構のロック部の係合片が鍋本体の係合部と係合解除される共に、ロック解除部のパッキン押部が前進してロック解除状態を示した部分斜視図、図１０Ｂは図１０Ａの平面図である。
【００１９】
図１において、１は圧力鍋であって、この圧力鍋１は、外周壁に本体取っ手１０を設けた鍋本体２と、鍋本体２の上部開口２ａ（例えば図２参照）を被蓋するもので、かつ外周に蓋取っ手20を設けた蓋３とからなっている。
【００２０】
前記本体取っ手１０は、鍋本体２の外周壁に溶接などで固着された取付部材（図示せず）にビス（図示せず）で固定してある。
【００２１】
一方、蓋取っ手２０は、後部を把持部２１とするとともに、前部を取付部２２として、該取付部２２の下面を切欠き、その切欠き部の後部垂下壁２３を蓋３の外周壁３に当てがって両者をネジ（図示せず）で固定してある。また、蓋取っ手２０の取付部２２の先端には、蓋３に穿設した貫通孔（図示せず）と連通する連通孔２４を形成しており、これら貫通孔と連通孔２４との間には取付部材（図示せず）でフロート弁２５が取り付けられている。
【００２２】
また、蓋取っ手２０の前部には、後述するスライダー３０を嵌装する長穴状のガイド溝２６が形成されている。このスライダー３０は、指当部３１を押し又は引いて、鍋本体２の中央部に向かって前進または後退するようにしてある。
前記蓋３の裏面側の内周面には環状の蓋パッキン３ｂが嵌装されている。
【００２３】
鍋本体２に蓋３を被蓋する場合には、図１に示すように、鍋本体２２の上部開口２ａを蓋３で被冠して、同蓋３を閉鎖方向に回動して本体取っ手１０と蓋取っ手２０とを重合して、前記スライダー３０を前進することにより、図１に示されるように、蓋３が鍋本体２に強固にロックされ、鍋本体２と蓋３とは気密状態に保持される。この状態で、鍋本体２を加熱することにより、鍋本体２の内部の圧力を上昇させることができる。
【００２４】
上記ロック状態において、スライダー３０を後退することにより、蓋３が鍋本体２よりロック解除される。このロック解除状態で、図１２に示すように、蓋取っ手２０を開放方向に所定角度回動すると、蓋３が鍋本体２より取り外すことができる。
【００２５】
以上の如き構成からなる圧力鍋１において、本考案に係る圧力鍋の蓋開閉機構は、前記鍋本体２の開口縁部に外向きに形成したフランジ部２ｂの一部に、係合部２ｃを形成してある（図６Ａ、図６Ｂ参照）。
【００２６】
一方、前記スライダー３０の下部には、該スライダー３０の前後運動に従動するロック開閉機構４０が設けてある。このロック開閉機構４０は、前記スライダー３０を前方へ移動させることにより、鍋本体２のフランジ部２ｂの係合部２ｃに係合されて蓋３が鍋本体２にロック状態となるロック部５０と、前記スライダー３０を後方へ移動させることにより、前記ロック部５０は鍋本体２のフランジ部２ｂの係合部２ｃとの係合が解除されるとともに、そのロック解除部６０が前方へ移動して蓋３の蓋パッキン３ｂを鍋本体２中心部方向へ押動し、鍋本体２内の圧力を逃がし、蓋３を鍋本体２からロック解除状態となるロック解除部６０とからなっている。
【００２７】
前記ロック開閉機構４０は、具体的な構成としては種々設計できるものであるが、この実施例１では、図５Ａ、図５Ｂ、図６Ａ、図６Ｂ、図９Ａ、図９Ｂ、図１０Ａ、図１０Ｂに示されているように、ロック部５０は、強固な金属製で、Ｌ字状の水平部５１と、係合片５６を有するＬ字状の垂直部５５とを一体に形成している。
【００２８】
また、ロック解除部６０は、強固な金属製で、Ｌ字状の水平部６１と、先端にパッキン押部６６を有するＪ字状の垂直部６５とを一体に形成している。
【００２９】
このロック部５０とロック解除部６０とは、Ｌ字状の水平部５１、６１において、ロック部５０の水平部５１には長穴５２を穿設してあるとともに、ロック解除部６０の水平部６１には丸穴６２を穿設してある。
そして、これらの長穴５２と丸穴６２とに連結ピン７０を嵌挿して、ロック部５０とロック解除部６０とを連結してあるとともに、前記連結ピン７０の他端はスライダー３０の下部に固定してある。
【００３０】
また、前記ロック部５０のＬ字状の水平部５１とロック解除部６０のＬ字状の水平部６１の端部において、両Ｌ字状の水平部５１、６１を枢軸７１で回動自在に枢着したリンク機構を構成している。
【００３１】
さらに、前記ロック部５０のＬ字状の水平部５１の後端部は、前記スライダー３０に嵌着されている。すなわち、図５Ａ、図６Ａ、図９Ａ及び図１０Ａに示されているように、ロック部５０の水平部５１の後端部には貫通穴５３が形成してあり、この貫通穴５３に、前記スライダー３０の指当部３１より下方へ垂設した脚部３２を嵌挿して、スライダー３０とロック部５０の水平部５１とを固定してある。
【００３２】
なお、図１で、８０は圧力調整装置、８１は安全弁である。
【００３３】
以上の構成からなる本考案の作用を以下に説明する。
（１）  図１２の状態で、蓋取っ手２を時計方向に回動して、図１、図２に示すように、蓋取っ手２０と本体取っ手１０とを重合して、図１〜図４に示すように、スライダー３０の指当部３１を鍋本体２の中心部方向（前進方向）へ押動すると、蓋３が鍋本体２を完全に被蓋する。
【００３４】
（２）  このとき、スライダー３０の前進移動によって、ロック開閉機構４０のロック部５０の垂直部５５に形成した係合片５６が、鍋本体２のフランジ部２ｂの係合部２ｃに係合して、蓋３が鍋本体２にロック状態となる（図５Ａ〜図６Ｂ参照）。一方、ロック開閉機構４０のロック解除部６０のパッキン押部６６は後方へ移動して蓋パッキン３ｂより離間する（図５Ａ〜図６Ｂ参照）。
【００３５】
（３）  図１〜図６Ｂのロック状態時よりスライダー３０を後方へ移動（図７、図８参照）すると、ロック開閉機構４０のロック部５０に設けた係合片５６は、図９Ｂ、図１０Ａ、図１０Ｂに示すように、鍋本体２のフランジ部２ｂに形成した係合部２ｃとの係合が解除されると共に、ロック解除部６０のパッキン押部６６は、図９Ａ、図９Ｂに示すように、蓋３に設けた蓋パッキン３ｂを鍋本体２の中心部方向へ押し、鍋本体２内の圧力を系外（外部）へ逃して、蓋３を鍋本体２からロック解除状態となる。
このロック解除状態において、図１２に示すように、蓋取っ手２０を反時計方向（蓋の開放方向）へ回動すると、鍋本体２の係止突部（図示せず）と蓋３の係止爪（図示せず）との係合が解除されて、鍋本体２から蓋３を取り外すことができる。
【００３６】
本考案の請求項１に記載した「ロック開閉機構」は、実施例１に示したようなリンク機構に限定されるものではなく、ロック部とロック解除部とを有するものであれば適宜構成のものを採用することができる。
【符号の説明】
【００３７】
１          圧力鍋
２          鍋本体
２ｃ        係合部
３          蓋
３ｂ        蓋パッキン
１０        本体取っ手
２０        蓋取っ手
３０        スライダー
３１        指当部
３２        脚部
４０        ロック開閉機構
５０        ロック部
５１        水平部
５２        長穴
５５        垂直部
５６        係合片
６０        ロック解除部
６１        水平部
６２        丸穴
６５        垂直部
６６        パッキン押部
７０        連結ピン
【図１】
0003195387.tif 000003
【図２】
0003195387.tif 000004
【図３】
0003195387.tif 000005
【図４】
0003195387.tif 000006
【図５Ａ】
0003195387.tif 000007
【図５Ｂ】
0003195387.tif 000008
【図６Ａ】
0003195387.tif 000009
【図６Ｂ】
0003195387.tif 000010
【図７】
0003195387.tif 000011
【図８】
0003195387.tif 000012
【図９Ａ】
0003195387.tif 000013
【図９Ｂ】
0003195387.tif 000014
【図１０Ａ】
0003195387.tif 000015
【図１０Ｂ】
0003195387.tif 000016
【図１１】
0003195387.tif 000017
【図１２】
0003195387.tif 000018
【図１３】
0003195387.tif 000019